【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
服用量の薬剤をユーザに送給するための吸入装置であって、
基部端部（６ａ）とバルブ端部（６ｂ）とを有し、ユーザに投与される前記薬剤を収容するのに適合したキャニスタ（５）であって、当該キャニスタ（５）が、発射ポイント（２５）と称される所定量だけ押し下げられると、１回分の服用量の前記薬剤が分与される、キャニスタと、
前記キャニスタ（５）に結合され、該キャニスタが、計数ポイント（２６）と称される所定量だけ押し下げられると、１回の服用を計数するように作用するカウンタ（１５）と、を備え、
前記キャニスタ（５）は、その基部端部（６ａ）上に前記カウンタ（１５）を受け合うのに適合しており、
前記カウンタ及び／又はキャニスタは、両者の取付のために接触部分（１８，２０）を更に備え、この接触部分は摩擦を増大させる手段を有しており、それにより、カウンタが前記キャニスタの長手方向における異なる位置の範囲に安定して取り付けられることを許容し、
前記カウンタは、更に、当該カウンタを前記キャニスタに組み付ける工程中、前記カウンタと前記キャニスタの全体の長さが規定長さの規定公差範囲内になるまで、前記キャニスタに対し付勢されるのに適合している、
ことを特徴とする吸入装置。
【請求項２】
前記計数ポイント（２６）は、前記公差が発射後に計数が起こらないことを保証することを許容するように、吸入器の発射ポイント（２５）より前で近くに位置していることを特徴とする請求項１に記載の吸入装置。
【請求項３】
前記キャニスタの基部の幾つかの部分が、表面を粗くした領域を備えていることを特徴とする請求項１又は２に記載の吸入装置。
【請求項４】
前記表面を粗くした領域は、機械的な加工，化学的エッチング又は表面処理によって設けられていることを特徴とする請求項３に記載の吸入装置。
【請求項５】
前記カウンタの内面は、摩擦を増大させるための異なる材料と一緒に成形されていることを特徴とする請求項１から４の何れか一に記載の吸入装置。
【請求項６】
前記カウンタの内側基部は、当該カウンタが異なる位置の範囲において前記キャニスタ上に位置し得るように、変形可能な手段（５２）を備えていることを特徴とする請求項１から５の何れか一に記載の吸入装置。
【請求項７】
前記変形可能な手段（５２）は、ポリマー製のリブ，一緒に成形された変形可能なポリマー材料または隙間を埋めるための急速に固まるポリマーにより設けられることを特徴とする請求項６に記載の吸入装置。
【請求項８】
吸入装置におけるキャニスタ（５）とカウンタ（１５）とを組み立てる方法であって、
前記キャニスタは、基部端部（６ａ）とバルブ端部（６ｂ）とを有し、ユーザに投与される前記薬剤を収容するのに適合しており、前記キャニスタ（５）が、発射ポイント（２５）と称される所定量だけ押し下げられると、１回分の服用量の前記薬剤が分与され、
前記カウンタは、前記キャニスタ（５）に結合され、該キャニスタが、計数ポイント（２６）と称される所定量だけ押し下げられると、１回の服用を計数するように作用し、
前記カウンタ（１５）を前記キャニスタ（５）の基部端部（６ａ）上に配置するステップであって、前記カウンタ及び／又はキャニスタは両者の取付のために接触部分（１８，２０）を有し、この接触部分は摩擦を増大させる手段を有しており、それにより、カウンタが前記キャニスタの長手方向における異なる位置の範囲に安定して取り付けられることを許容する、ステップと、
前記カウンタを前記キャニスタの基部端部に押し込み、前記カウンタと前記キャニスタの全体の長さを、規定長さの規定公差範囲内になるまで計測するステップと、
を備えることを特徴とする方法。
【請求項９】
前記公差が発射後に計数が起こらないことを保証することを許容するように、吸入器の発射ポイント（２５）より前で近くに、前記計数ポイント（２６）を設けることを特徴とする請求項８に記載の方法。
【請求項１０】
前記キャニスタの基部の幾つかの部分に、表面を粗くした領域を設けることを特徴とする請求項８又は９に記載の方法。
【請求項１１】
機械的な加工，化学的エッチング又は表面処理により、前記表面を粗くした領域を設けることを特徴とする請求項１０に記載の方法。
【請求項１２】
前記カウンタの内面を、摩擦を増大させるための異なる材料と一緒に成形することを特徴とする請求項８から１１の何れか一に記載の方法。
【請求項１３】
前記カウンタの内側基部に、当該カウンタが異なる位置の範囲において前記キャニスタ上に位置し得るように、変形可能な手段（５２）を設けることを特徴とする請求項８から１２の何れか一に記載の方法。
【請求項１４】
ポリマー製のリブ，一緒に成形された変形可能なポリマー材料または隙間を埋めるための急速に固まるポリマーにより、前記変形可能な手段（５２）を設けることを特徴とする請求項１３に記載の方法。
【請求項１５】
吸入装置において使用されるのに適合したキャニスタとカウンタとの組立体であって、
前記キャニスタは、基部端部（６ａ）とバルブ端部（６ｂ）とを有すると共に、ユーザに送給されるべき薬剤を包含しており、前記キャニスタが、発射ポイント（２５）と称される所定量だけ押し下げられると、１回分の服用量の前記薬剤が分与され、
前記カウンタは、前記キャニスタに結合され、該キャニスタが、計数ポイント（２６）と称される所定量だけ押し下げられると、１回の服用を計数するように作用し、
前記キャニスタは、その基部端部（６ａ）上に前記カウンタを受け合うのに適合しており、
前記カウンタ及び／又はキャニスタは、両者の取付のために接触部分（１８，２０）を更に有し、この接触部分は摩擦を増大させる手段を有しており、それにより、カウンタが前記キャニスタの長手方向における異なる位置の範囲に安定して取り付けられることを許容し、
前記カウンタは、更に、当該カウンタを前記キャニスタに組み付ける工程中、前記カウンタと前記キャニスタの全体の長さが規定長さの規定公差範囲内になるまで、前記キャニスタに対し付勢されるのに適合している、
ことを特徴とする組立体。
【請求項１６】
前記計数ポイント（２６）は、前記公差が発射後に計数が起こらないことを保証することを許容するように、吸入器の発射ポイント（２５）より前で近くに位置していることを特徴とする請求項１５に記載のキャニスタとカウンタとの組立体。
【請求項１７】
前記キャニスタの基部の幾つかの部分が、表面を粗くした領域を備えていることを特徴とする請求項１５又は１６に記載のキャニスタとカウンタとの組立体。
【請求項１８】
前記表面を粗くした領域は、機械的な加工，化学的エッチング又は表面処理によって設けられていることを特徴とする請求項１７に記載のキャニスタとカウンタとの組立体。
【請求項１９】
前記カウンタの内面は、摩擦を増大させるための異なる材料と一緒に成形されていることを特徴とする請求項１５から１８の何れか一に記載のキャニスタとカウンタとの組立体。
【請求項２０】
前記カウンタの内側基部は、当該カウンタが異なる位置の範囲において前記キャニスタ上に位置し得るように、変形可能な手段（５２）を備えていることを特徴とする請求項１５から１９の何れか一に記載のキャニスタとカウンタとの組立体。
【請求項２１】
前記変形可能な手段（５２）は、ポリマー製のリブ，一緒に成形された変形可能なポリマー材料または隙間を埋めるための急速に固まるポリマーにより設けられることを特徴とする請求項２０に記載のキャニスタとカウンタとの組立体。
【請求項２２】
基部端部（６ａ）とバルブ端部（６ｂ）とを有すると共に、ユーザに送給されるべき薬剤を包含するキャニスタであって、
その基部端部（６ａ）の幾つかの部分に表面を粗くした領域を有し、請求項１から７の何れか一に記載の吸入装置において使用されるのに適合している、ことを特徴とするキャニスタ。
【請求項２３】
図１に示す吸入装置により薬剤を患者に投与して治療することを特徴とする治療方法。